(57)【要約】【課題】  座面用カバー体と背もたれ用カバー体とに分割し、両者の遠近調整や分離使用を可能とした【解決手段】  身体接触部位を局所的に暖房または冷却することで、暑さ寒さから身体を保護するための保温・保冷用マットにおいて、マットはその内部に可撓性の蓄熱媒体２２を着脱可能に収装した座面用マット体１と、蓄熱媒体２２を着脱可能に収装した背もたれ用マット体２との２つに分離され、一方若しくは他方のマット体の縁部に固定されたベルト１０の先端を他方若しくは一方のマット体に、面ファスナ１１、１７を介して着脱かつ遠近調整可能に連結した【選択図】      図３
0003108314.tif 000002
【実用新案登録請求の範囲】
【請求項１】
身体接触部位を局所的に暖房または冷却することで、暑さ寒さから身体を保護するための保温・保冷用マットにおいて、
前記マットはその内部に可撓性の蓄熱媒体（２２）を着脱可能に収装した座面用マット体（１）と、前記蓄熱媒体（２２）を着脱可能に収装した背もたれ用マット体（２）との２つに分離され、一方若しくは他方のマット体の縁部に固定されたベルト（１０）の先端を他方若しくは一方のマット体に、面ファスナ（１１，１７）を介して着脱かつ遠近調整可能に連結したものであることを特徴とする保温・保冷用マット。
【請求項２】
前記ベルトは、前記一方若しくは他方のマット体の対向縁部に固定された少なくとも二本の平ベルトよりなり、前記ベルトの先端には、ベルトの長手方向に沿った所定長さの面ファスナーの一方が設けられ、前記他方若しくは一方のマット体の背面には、前記面ファスナーの一方に沿った所定長さの面ファスナーの他方が設けられ、面ファスナの一方及び他方を介して、前記座面用マット体と背もたれ用マット体とが着脱かつ遠近調整可能に連結されるものであることを特徴とする請求項１に記載の保温・保冷用マット。
【請求項３】
前記ベルトは、前記一方若しくは他方のマット体の対向縁部に固定された少なくとも二本の平ベルトよりなり、前記ベルトの先端の同一面の前後には、ベルトの長手方向に沿った所定長さの面ファスナーの一方及び他方が設けられ、前記他方若しくは一方のマット体の対向縁部の少なくとも二カ所には、前記ベルトを通す環状部材が設けられ、環状部材を通して折り曲げられた状態で対向する前記面ファスナーの一方及び他方が結合された状態で、前記座面用マット体と背もたれ用マット体とが着脱かつ遠近調整可能に連結されるものであることを特徴とする請求項１に記載の保温・保冷用マット。
【請求項４】
前記面ファスナーの一方又は他方は、パイル織りなどの織り布構造であることを特徴とする請求項２又は３に記載の保温・保冷用マット。
【請求項５】
前記保温・保冷用マットは、ベビーカー、チャイルドシートなどの幼児用シートに敷設され、前記座面用マット体および背もたれ用マット体の夫々の外周から延出された紐体を介して前記各マット体を該敷設位置に着脱自在に固定して、暑さ寒さから乳幼児の身体を保護する構造であることを特徴とする請求項１乃至４のいずれか１項に記載の保温・保冷用マット。
【請求項６】
前記保温・保冷用マットは、前記座面用マット体および背もたれ用マット体が、相互に分離された状態で単独で、若しくは連結された状態で適宜の間隔で敷設位置に設けて、使用される構造であることを特徴とする請求項１乃至４のいずれか１項に記載の保温・保冷用マット。
【請求項７】
前記座面用マット体及び背もたれ用マット体は、それぞれ座面形状及び背もたれ形状に裁断された表層材、パッド材及び裏打布の周縁を玉縁を介して一体に縫合してなり、前記裏打布の内側の中間面には、前記縫合前に予め袋状のポケットを設け、該ポケットの開口部を通じて前記各マット体の身体接触部位における厚み方向から前記パッド材を介して離した位置に、前記蓄熱媒体を収装するものであることを特徴とする請求項１乃至６のいずれか１項記載の保温・保冷用マット。
【請求項８】
前記可撓性蓄熱媒体を構成する蓄熱材が、両端封止された横長扁平筒状の袋体内に封入されてなり、前記ポケットの開口部がマット体の側方に開口し、この開口を通じて、蓄熱材の両端に形成された封止耳部を持って出し入れするものであることを特徴とする請求項７記載の保温・保冷用マット。
【考案の詳細な説明】
【技術分野】
【０００１】
本考案は、主としてベビーカーやチャイルドシートなどに敷設されて、その身体接触部位を局所的に暖、冷却することにより、暑さ寒さから乳幼児の身体を保護するための保温・保冷用マットに関し、特に座面部と背もたれ部部間の遠近位置調整を可能とし、必要に応じて一方のみを除去可能としたものに係るものである。
【背景技術】
【０００２】
この種保温・保冷用マットとしては従来より各種のものが知られている。例えば、特許文献１には、ベビーカーあるいはチャイルドシートに配置されるカバー内部に畜冷・蓄熱効果のあるゼリー状蓄熱媒体の収容部を設けたものが開示されている。
特許文献２のベビーカー用防暑具では、ベビーカーのシート形状に形成された袋状容器内を小区分に区画し、それぞれの区画に蓄冷材を具備したものが開示されている。
更に特許文献３は衣服の裏生地に１つ以上ポケットを設け、これの内部に冷却袋を収納するものが開示されている。
前２つの技術では、いずれも幼児を対象とし、暑さ、寒さから幼児を保護するものである。また後１つの技術は、主として衣服の冷房を目的としている点でやや異なる点があるが、いずれも蓄熱媒体を用いて身体を局所的に暖房または冷房するという点では変りがない。
【特許文献１】実用新案登録第３０７４０６９号公報
【特許文献２】実用新案登録第３０６２９１７号公報
【特許文献３】実用新案出願公開昭６０−１５６２０号公報
【考案の開示】
【考案が解決しようとする課題】
【０００３】
本考案は、特許文献１，２に示す暑さ寒さから主として乳幼児の身体を保護する保温・保冷用マットの改良に関するものである。
【０００４】
この点に関し、前記特許文献１，２では、身長方向に連続するマットとしている。特に、特許文献１では、マットを座面側と、背もたれ側とに区分し、それぞれに設けたポケットに予め別途冷却した２つの蓄熱媒体を格納するようにしているために、それぞれの部位に応じた適正温度を得ることができる。ところが、特許文献１では、座面側と背もたれ側とでは、その境界部分の両側に切り込みが形成され、該部分から容易に折り曲げ得るようになっているものの、一体に連続されており、その間隔の調整はできず、乳幼児の身長や耐熱温度分布に応じた調整は不可能であった。また、特許文献１の技術では、ポケットが身体側にあり、またその開口部が面ファスナのみで閉じられる構造となっているため、幼児が簡単にポケット内の熱媒体にさわることができ、これによって火傷や冷たいなどの不快な思いをすることがあり、また最悪の場合には、熱媒体を囓り、内容物が流出するなどの危険な事故が起る可能性も内在している。さらに、特許文献１では、表面地とポケット袋の縁と基材とが、その周縁において共通に縫製して形成されているため、その製造が面倒であった。
【０００５】
また、特許文献２の場合にはでは、防暑を目的とする場合にはカバーごと全体を冷却する必要があるため、過冷却となったり、結露などの不具合が生じやすい。また全体が均一な温度となるため、身体の体熱温度分布に応じた適正温度を得難い。
【０００６】
本考案は以上の課題を解決するものであって、その目的とするところは、乳幼児の背丈や冷温部位に応じて、座面用マット体と背もたれ用マット体とを分割し、両者の遠近調整や分離使用を可能とした保温・保冷用マットを提供するものである。
【課題を解決するための手段】
【０００７】
前記目的を達成するため、本考案は、図の実施の形態にも示すごとく、身体接触部位を局所的に暖房または冷却することで、暑さ寒さから身体を保護するための保温・保冷用マットにおいて、前記マットはその内部に可撓性の蓄熱媒体２２を着脱可能に収装した座面用マット体１と、前記蓄熱媒体２２を着脱可能に収装した背もたれ用マット体２との２つに分離され、一方若しくは他方のマット体の縁部に固定されたベルト１０の先端を他方若しくは一方のマット体に、面ファスナ１１、１７を介して着脱かつ遠近調整可能に連結したものであることを特徴としている。
【０００８】
前記ベルト１０は、前記一方若しくは他方のマット体の対向縁部に固定された少なくとも二本の平ベルトにより構成され、その先端には、ベルト１０の長手方向に沿った所定長さの面ファスナーの一方１１が設けられ、前記他方若しくは一方のマット体の背面には、前記面ファスナーの一方１１に沿った所定長さの面ファスナーの他方１７が設けられ、該面ファスナの一方及び他方１１、１７を介して、前記座面用マット体１と背もたれ用マット体２とが着脱かつ遠近調整可能に連結されるものであることを特徴としている。
【０００９】
図６に示すように、前記ベルト１０の先端の同一面の前後に、ベルト１０の長手方向に沿った所定長さの面ファスナーの一方及び他方１１（１７）を設け、前記他方若しくは一方のマット体の対向縁部の少なくとも二カ所に、前記ベルト１０を通す環状部材３０を設け、環状部材３０を通して折り曲げられた状態で対向する前記面ファスナーの一方及び他方が結合された状態で、前記座面用マット体１と背もたれ用マット体２とを着脱かつ遠近調整可能に連結する構成としても良い。
【００１０】
尚、前記面ファスナー１１、１７の一方又は他方、特に、背もたれ用マット体２背面の面ファスナー１７は、パイル織りなどの織り構造とすることができる。
【００１１】
前記保温・保冷用マットは、ベビーカー、チャイルドシートなどの幼児用シートに敷設され、前記座面用マット体１および背もたれ用マット体２の夫々の外周から延出された紐体２０を介して前記各マット体を該敷設位置に着脱自在に固定して、暑さ寒さから乳幼児の身体を保護する構造であることを特徴としている。
【００１２】
前記保温・保冷用マットは、前記座面用マット体１および背もたれ用マット体２が、相互に分離された状態で単独で、若しくは連結された状態で適宜の間隔で敷設位置に設けて、使用することができる。
【００１３】
前記座面用マット体１及び背もたれ用マット体２は、それぞれ座面形状及び背もたれ形状に裁断された表層材３、１２、パッド材４、１４及び裏打布５、１５の周縁を玉縁６、１６を介して一体に縫合してなり、前記裏打布５、１５の内側の中間面位置には予め袋状に形成したポケット７が予め設けられ、該ポケット７のファスナ付き開口部８を通じて前記各マット体の身体接触部位における厚み方向から前記パッド材４、１４を介して離した位置に、前記蓄熱媒体２２を収装するものであることを特徴としている。
【００１４】
前記可撓性蓄熱媒体２２を構成する蓄熱材２４が、両端封止された横長扁平筒状の袋体２２内に封入されてなり、前記ポケット７の開口部８がマット体の側方に開口し、この開口を通じて、袋体２２の開口両端に形成された封止耳部２２ａを持って出し入れする構成としても良い。
【考案の効果】
【００１５】
したがって本考案によれば、乳幼児の身長変化、あるいは冷温部位に応じて、ベルトの面ファスナを一旦剥がし、尤も適当な位置に調整した後その調整位置に連結することができる。また、一方のマット体が汚れた場合や、不要な場合には、全体を取外すことなく、片方のみを取外し、洗濯などすれば良いものとなる。
【００１６】
また、請求項７では、身体接触面側でなく、その裏面側で蓄熱媒体の脱着ができるため、幼児がさわったり、取出して囓るなどの危険性がなく安全であるとともに、身体接触面との間にパッド材の厚み分の距離があり、その断熱により、温、冷熱が拡散され、緩和された状態で身体接触面側に伝熱される。
【００１７】
さらに、請求項７では、裏打布の内側の中間面位置に予め袋状ポケットを逢着などにより設け、裏打布と表層材、パッド材及び裏打布の周縁を玉縁を介して一体に縫合させることにより、その縫製による制作が容易になり、ポケットの取り付けが簡単である。
【００１８】
さらに、請求項８では、袋体シートが二重になる封止耳部をつまんで、蓄熱媒体をポケット内に横から収装させることで、蓄熱材内に蓄えられた熱を掌で握ることによる熱拡散を防止でき、火傷などの事故を防止できる。
【考案を実施するための最良の形態】
【００１９】
以下本考案の最良の実施の形態につき添付図面を用いて説明する。図１〜図４は本考案の第１実施形態を示すものであり、図１は保温・保冷用マットを裏面側から見た分解図、図２は同組立状態の背面図及び底面図、図３はマット体同士を組付けた斜視図、図４は同断面図である。
【００２０】
各図において、この保温・保冷用マットは、座面用マット体１と、背もたれ用マット体２とに２分割構成されたものである。
【００２１】
座面用マット体１は、座面形状に応じてほぼ四角に裁断された表層材３と、これよりやや小さめにトリムカットされた所定厚みのパッド材４と、パッド材４の裏面を覆う前記表層材３と同一裁断形状の裏打生地よりなる裏打布５とを備え、これらを積層した状態でその周囲に玉縁６を配置し、この玉縁６を介して縫製することにより玉縁６で縁取られた所定厚みのマット体１に形成するようになっている。
【００２２】
前記表層材３は、幼児用として適正な風合と感触を具備した通気性の良好なタオルなどの生地からなるものである。
【００２３】
前記パッド材４は断熱性及びクッション性に富む発泡ウレタンなどの弾性素材からなるものである。
【００２４】
前記裏打布５は通常の薄い生地であって、その内側上部の中間には非透水性素材からなる袋状ポケット７の開口部８をファスナとともに横方向に逢着し、ファスナのスライダー８ａの移動によりポケット７の開口部８を開閉できるようにしている。
【００２５】
表層材３，パッド材４，裏打布５の先端位置にはそれぞれ横方向にベビーカーやチャイルドシートに設けられる図示しないシートベルトの通し用のスリット９が形成され、マット体１の完成後に前記各スリット９の周囲を縫合によって互いに連結することにより、前記マット体１の上下に貫通させている。
【００２６】
更に、マット体１の後部側の裏面縁部には一対の平ベルト１０の一端部が縫合により一体化されている。各ベルト１０は前記背もたれ用マット体２との間を連結するものであり、その他端側一側面には一方の面ファスナ１１が縫合により固着されている。
【００２７】
前記背もたれ用マット体２は、枕形状に長円形に裁断された表層材１２，パッド材１４，裏打布１５及びその周囲を縫合によって縁取る玉縁１６とを備えている。
【００２８】
裏打布１５の内側には前記と同様な袋状ポケット７が逢着され、その開口部８を横方向にファスナとともに逢着し、ファスナのスライダー８ａの移動によりポケット７の開口縁を開閉できるようにしている。
【００２９】
また、裏打布１５の下縁左右には前記面ファスナ１１に係合する一対の他方の面ファスナ１７が縫合により固定されている。
【００３０】
各図中符号２０は、マット体１の底面後縁及びマット体２の背面４周縁部に一端を逢着され、各マット体１，２を、ベビーカー、チャイルドシート等に固定するための紐体である。
【００３１】
以上により、マット体１，２同士は、図３，４に示すようにベルト１０を介して連結し、ベビーカーやチャイルドシートの形状に応じた形状にフィットすることになる。
【００３２】
また、背もたれ用マット体２の高さ位置を調整するには、一旦面ファスナ１１，１７の結合を外し、その幼児にとって最も快適性のある位置に上下移動させ、再び面ファスナ１１，１７同士を結合することによって、丁度よい位置に固定される。
【００３３】
以上の各マット体１，２のポケット７には蓄熱媒体２２が装填される。蓄熱媒体２２は両端を封止されたポリエチレンなどのプラスチック製の扁平横長筒状の可撓性袋体２３の内部にゼリー状をした蓄熱材２４を封入したものである。これを使用する際には、例えば暑い日に外出する場合には、予め冷蔵庫内に蓄熱媒体２２を入れて冷却したのち、ポケット７内にこれを入れる。これにより蓄熱材２４に蓄えられた冷熱を徐々にパッド材４，１４及び表層材３，１２を通じて幼児の身体接触部位、例えば座面用マット体１では臀部、背もたれ用マット体２では背中から首筋にかけて冷熱を伝熱することにより、体温を下げ、熱射病などから保護することができるのである。この際、座面用マット体１の位置は一定であるが、背中から肩にかけての接触部位などを調整するには、前述のごとく面ファスナ１１，１７の結合位置をずらすことで、マット体２の高さ位置を容易に調整できることになる。
【００３４】
前記とは逆に寒い日に外出する場合には予め蓄熱媒体２２を電子レンジなどで温めた後ポケット７内に入れておけばよい。
【００３５】
蓄熱媒体２２を冷却または暖めたときに、冷たすぎたり温すぎる場合もあるが、これら冷熱または温熱は、パッド材４，１４の厚みに応じて拡散されつつ身体接触部位に伝熱され、直接接触はしないため、その熱は穏和であり、適温の冷房及び暖房効果を得ることができる上、座面の下側及び背もたれ面の背面側に蓄熱媒体２２が格納され、ファスナ８で閉じられているため、幼児が取出すことはできず、これによる思わぬ事故も未然に防止できる。
【００３６】
なお、以上の調整のほか、マット体１，２の内の一方が汚れ、洗濯するような場合や一方が不要になった場合には、全体を取外すことなく、その一方を取去るだけで良いものとなる。
【００３７】
図５は本考案の第２実施形態の２例を示す。なお、本実施形態における各部材は第１実施形態と全く同様であるので、同一部材には同一符号を援用して説明する。
【００３８】
まず、図５（ａ）はその一例を示すもので、ファスナによって開閉されるポケット７の開口部８は背もたれ用マット体２の裏面側方に縦方向に沿って設けられており、かつポケット７は縦長形状に形成されている。したがって、本実施形態では、開口部８を明けた状態で蓄熱媒体２２の袋体７の封止端（封止耳部２２ａ）を指でつまんでそのまま側方からポケット７内に収容でき、掌で蓄熱媒体２２を握ることによる熱の散逸をいくらかでも防止することができる。なお本例では、ポケット７が縦長状に配置されているため、身長方向全般を保温・保冷する場合に好適である。
【００３９】
また、図５（ｂ）は他の例を示すもので、ファスナによって開閉されるポケット７の開口部８はマット体１の裏面側方に縦方向に沿って設けられており、かつポケット７は横長長形状に形成されている。したがって、本実施形態では、ファスナを明けた状態で前記と同様に、蓄熱媒体２２の封止耳部２２ａを指でつまんでそのまま側方からポケット７内に収容でき、掌で蓄熱媒体２２を握ることによる熱の散逸をいくらかでも防止することができる。本例では、ポケット７が横長状に配置されているため、身体の幅方向２沿って保温・保冷する場合に好適である。
【００４０】
なお、図５（ａ）ではポケット７を縦長状に配置したが、（ｂ）に示すように横長状に配置しても良いし、その逆もまた可能であり、要は身体接触部位の体熱温度分布などに応じた最良の保温・保冷分布を得ることができるような配置とすればよい。
【００４１】
図６は本考案の第３実施形態を示す一部の正面図（ａ）と一部の側面図である。なお、本実施形態における各部材は第１実施形態と全く同様であるので、同一部材には同一符号を援用して説明する。
【００４２】
第３実施形態では、ベルト１０の先端の同一面の前後に、ベルト１０の長手方向に沿った所定長さの面ファスナーの一方及び他方１１（１７）を設け、背もたれ用マット体２の対向縁部に、ベルト１０を通すＤ環などの環状部材３０を設ける。環状部材３０を通して折り曲げられた状態で対向する面ファスナーの一方及び他方１１（１７）が結合された状態で、前記座面用マット体１と背もたれ用マット体２とを着脱かつ遠近調整可能に連結する。
【産業上の利用可能性】
【００４３】
上記本考案の実施の形態では、保温・保冷用マットを、ベビーカー、チャイルドシートなどの幼児用シートに適応した例につき説明したが、車椅子用、通常の乗用車やトラックなどの運転席にも適応できる。また、家庭などの椅子にも使用できる。さらに、座面用マット体と背もたれ用マット体を完全に分離させて、電気座布団又は背クッションの代替品としても利用可能である。
【図面の簡単な説明】
【００４４】
【図１】本考案の第１実施形態による保温・保冷用マット構成する２つのマット体それぞれを裏面側から見た分解斜視図である。
【図２】同組立完成状態を示す背面図及び底面図である。
【図３】マット体同士を組合わせた状態を示す斜視図である。
【図４】同断面図である。
【図５】（ａ），（ｂ）は本考案の第２実施形態２例を示す背面図及び底面図である。
【図６】（ａ），（ｂ）は本考案の第３実施形態２例を示す一部の正面図と側面図である。
【符号の説明】
【００４５】
１  座面用マット体
２  背もたれ用マット体
３，１２  表層材
４，１４  パッド材
５，１５  裏打布
６，１６  玉縁
７  ポケット
８  開口部（ファスナ）、８ａ  スライダー
１０  ベルト
１１，１７  面ファスナ
２０  紐体
２２  蓄熱媒体、２２ａ  封止耳部
２３  袋体
２４  蓄熱材
３０  環状部材
【図１】
0003108314.tif 000003
【図２】
0003108314.tif 000004
【図３】
0003108314.tif 000005
【図４】
0003108314.tif 000006
【図５】
0003108314.tif 000007
【図６】
0003108314.tif 000008